【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
ＵＥにおけるワイヤレス通信の方法であって、
前記ＵＥカテゴリーのインジケーションを基地局に送信することと、
前記基地局から、キャリアアグリゲーション（ＣＡ）動作のために構成された第１の数のダウンリンクコンポーネントキャリア（ＣＣ）を示すシグナリングを受信することと、
ＣＡ動作のために構成されたダウンリンクＣＣの前記第１の数がしきい値を超えるとき、前記第１の数のダウンリンクＣＣのサブセット上でのダウンリンク送信に関連するＨＡＲＱ情報を記憶するために利用されるソフトバッファを区分するためのＣＣの参照数を決定することと、
前記ＵＥによって、ＣＣの前記参照数と前記ＵＥのために構成されたダウンリンクＣＣの前記第１の数に少なくとも部分的に基づいて、前記ＨＡＲＱ情報を記憶するための前記ソフトバッファを区分することと、
を備える、方法。
【請求項２】
前記基地局からＣＣの前記参照数のインジケーションを受信すること、ここにおいて、ＣＣの前記参照数の前記受信されたインジケーションは、前記ＵＥカテゴリーに基づく、
をさらに備える、請求項１に記載の方法。
【請求項３】
前記ソフトバッファの前記サイズは、ＵＥカテゴリーに関連付けられ、ＣＣの前記参照数は、前記ＵＥカテゴリーによってサポートされるＣＣの最大数よりも少ない、請求項１に記載の方法。
【請求項４】
前記区分することと、ハイブリッド自動再送要求（ＨＡＲＱ）プロセスの終了ステータスとに少なくとも部分的に基づいて、前記第１の数のダウンリンクＣＣからのＣＣに前記ソフトバッファの一部分を割り振ることと、
前記ソフトバッファの前記一部分中に、前記ＨＡＲＱプロセスのための対数尤度比（ＬＬＲ）のセットを記憶することと、
をさらに備える、請求項１に記載の方法。
【請求項５】
前記ソフトバッファを区分することは、
コードブロックの数、基地局におけるコードブロックのソフトバッファサイズ、ＨＡＲＱプロセスの数、ＨＡＲＱプロセス制限、前記ＵＥの前記カテゴリーに従ったソフトバッファビットの総数、前記ＵＥの送信モードに基づく整数値、またはそれらの任意の組合せのうちの少なくとも１つを識別すること、
を備える、請求項１に記載の方法。
【請求項６】
前記第１の数のダウンリンクＣＣの優先度付けに少なくとも部分的に基づいて、前記ソフトバッファの前記区分と複数のスケジュールされたＣＣとの間の対応を決定すること、
をさらに備える、請求項１に記載の方法。
【請求項７】
前記第１の数のダウンリンクＣＣは、少なくとも１次グループと２次グループとにグループ化され、各グループは、前記第１の数のダウンリンクＣＣからの少なくとも１つのＣＣを備える、請求項１に記載の方法。
【請求項８】
前記第１の数のダウンリンクＣＣは、２つ以上の優先度グループを備え、前記方法は、
各優先度グループのための重み係数と各優先度グループのためのＣＣの参照数とを識別することと、
各優先度グループのための前記重み係数とＣＣの前記参照数とに少なくとも部分的に基づいて、ソフトバッファ区分の数を計算することと、
ソフトバッファ区分の前記数に少なくとも部分的に基づいて、ソフトバッファを区分することと、
をさらに備える、請求項１に記載の方法。
【請求項９】
ＵＥにおけるワイヤレス通信のための装置であって、
前記ＵＥカテゴリーのインジケーションを基地局に送信するための手段と、
前記基地局から、キャリアアグリゲーション（ＣＡ）動作のために構成された第１の数のダウンリンクコンポーネントキャリア（ＣＣ）を示すシグナリングを受信するための手段と、
ＣＡ動作のために構成されたダウンリンクＣＣの前記第１の数がしきい値を超えるとき、前記第１の数のダウンリンクＣＣのサブセット上でのダウンリンク送信に関連するＨＡＲＱ情報を記憶するために利用されるソフトバッファを区分するためのＣＣの参照数を決定するための手段と、
前記ＵＥによって、ＣＣの前記参照数と前記ＵＥのために構成されたダウンリンクＣＣの前記第１の数に少なくとも部分的に基づいて、前記ＨＡＲＱ情報を記憶するための前記ソフトバッファを区分するための手段と、
を備える、装置。
【請求項１０】
ＣＣの前記参照数を決定するための前記手段は、ユーザ機器（ＵＥ）カテゴリーに少なくとも部分的に基づいて、ＣＣの前記参照数を決定するように構成された、請求項９に記載の装置。
【請求項１１】
前記ソフトバッファの前記サイズは、ＵＥカテゴリーに関連付けられ、ＣＣの前記参照数は、前記ＵＥカテゴリーによってサポートされるＣＣの最大数よりも少ない、請求項９に記載の装置。
【請求項１２】
前記区分することと、ハイブリッド自動再送要求（ＨＡＲＱ）プロセスの終了ステータスとに少なくとも部分的に基づいて、前記第１の数のＣＣからのＣＣに前記ソフトバッファの一部分を割り振るための手段と、
前記ソフトバッファの前記一部分中に、前記ＨＡＲＱプロセスのための対数尤度比（ＬＬＲ）のセットを記憶するための手段と、
をさらに備える、請求項９に記載の装置。
【請求項１３】
前記ソフトバッファを区分するための前記手段は、
コードブロックの数、基地局におけるコードブロックのソフトバッファサイズ、ＨＡＲＱプロセスの数、ＨＡＲＱプロセス制限、またはそれらの任意の組合せのうちの少なくとも１つを識別するための手段、
を備える、請求項９に記載の装置。
【請求項１４】
前記第１の数のＣＣの優先度付けに少なくとも部分的に基づいて、前記ソフトバッファの前記区分と複数のスケジュールされたＣＣとの間の対応を決定するための手段、
をさらに備える、請求項９に記載の装置。
【請求項１５】
ＵＥにおけるワイヤレス通信のためのコードを記憶する非一時的コンピュータ可読媒体であって、前記コードは、
前記ＵＥカテゴリーのインジケーションを基地局に送信することと、
前記基地局から、キャリアアグリゲーション（ＣＡ）動作のために構成された第１の数のダウンリンクコンポーネントキャリア（ＣＣ）を示すシグナリングを受信することと、
ＣＡ動作のために構成されたダウンリンクＣＣの前記第１の数がしきい値を超えるとき、前記第１の数のダウンリンクＣＣのサブセット上でのダウンリンク送信に関連するＨＡＲＱ情報を記憶するために利用されるソフトバッファを区分するためのＣＣの参照数を決定することと、
ＣＣの前記参照数と前記ＵＥのために構成されたダウンリンクＣＣの前記第１の数に少なくとも部分的に基づいて、前記第１の数のダウンリンクＣＣの前記サブセットに関連する前記ＨＡＲＱ情報を記憶するための前記ソフトバッファを区分することと、
を行うように実行可能な命令を備える、非一時的コンピュータ可読媒体。
【手続補正２】
【補正対象書類名】明細書
【補正対象項目名】０１４７
【補正方法】変更
【補正の内容】
【０１４７】
[0143]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡはユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書において記載される技法は、上述のシステムおよび無線技術、ならびに他のシステムおよび無線技術に使用され得る。しかしながら、上記の説明は、例としてＬＴＥシステムを記載し、上記の説明の大部分においてＬＴＥ用語が使用されるが、本技法はＬＴＥの適用例以外に適用可能である。
以下に本願の出願当初の特許請求の範囲に記載された発明を付記する。
[Ｃ１]  ワイヤレス通信の方法であって、
キャリアアグリゲーション（ＣＡ）動作のために構成された第１の数のコンポーネントキャリア（ＣＣ）を示すシグナリングを受信することと、
ＣＡ動作のために構成された前記第１の数のＣＣがしきい値を超えるとき、ソフトバッファを区分するためのＣＣの参照数を決定することと、
ＣＣの前記参照数に少なくとも部分的に基づいて、前記ソフトバッファを区分することと、
を備える、方法。
[Ｃ２]  前記区分することは、ＣＣの前記参照数と前記構成されたＣＣの前記数とのうちの最小値に少なくとも部分的に基づく、Ｃ１に記載の方法。
[Ｃ３]  ＣＣの前記参照数を決定することは、ユーザ機器（ＵＥ）カテゴリーに少なくとも部分的に基づく、Ｃ１に記載の方法。
[Ｃ４]  基地局に前記ＵＥカテゴリーのインジケーションを送信することと、
前記基地局からＣＣの前記参照数のインジケーションを受信することと、
をさらに備える、Ｃ３に記載の方法。
[Ｃ５]  ＣＣの前記参照数を決定することは、前記構成されたＣＣの前記数に少なくとも部分的に基づく、Ｃ１に記載の方法。
[Ｃ６]  ＣＣの前記参照数は、前記ソフトバッファのサイズに少なくとも部分的に基づく、Ｃ１に記載の方法。
[Ｃ７]  前記ソフトバッファの前記サイズは、ＵＥカテゴリーに関連付けられ、ＣＣの前記参照数は、前記ＵＥカテゴリーによってサポートされるＣＣの最大数よりも少ない、Ｃ６に記載の方法。
[Ｃ８]  前記区分することと、ハイブリッド自動再送要求（ＨＡＲＱ）プロセスの終了ステータスとに少なくとも部分的に基づいて、前記第１の数のＣＣからのＣＣに前記ソフトバッファの一部分を割り振ることと、
前記ソフトバッファの前記一部分中に、前記ＨＡＲＱプロセスのための対数尤度比（ＬＬＲ）のセットを記憶することと、
をさらに備える、Ｃ１に記載の方法。
[Ｃ９]  前記ソフトバッファを区分することは、
コードブロックの数、基地局におけるコードブロックのソフトバッファサイズ、ＨＡＲＱプロセスの数、ＨＡＲＱプロセス制限、またはそれらの任意の組合せのうちの少なくとも１つを識別すること、
を備える、Ｃ１に記載の方法。
[Ｃ１０]  前記しきい値は５つのＣＣである、Ｃ１に記載の方法。
[Ｃ１１]  前記第１の数のＣＣの優先度付けに少なくとも部分的に基づいて、前記ソフトバッファの前記区分と複数のスケジュールされたＣＣとの間の対応を決定すること、
をさらに備える、Ｃ１に記載の方法。
[Ｃ１２]  前記第１の数のＣＣは、少なくとも１次グループと２次グループとにグループ化され、各グループは、前記第１の数のＣＣからの少なくとも１つのＣＣを備える、Ｃ１に記載の方法。
[Ｃ１３]  前記１次グループと前記２次グループとは、二重接続動作の一部である、Ｃ１２に記載の方法。
[Ｃ１４]  前記第１の数のＣＣは、２つ以上の優先度グループを備え、前記方法は、
各優先度グループのための重み係数と各優先度グループのためのＣＣの参照数とを識別することと、
各優先度グループのための前記重み係数とＣＣの前記参照数とに少なくとも部分的に基づいて、ソフトバッファ区分の数を計算することと、
ソフトバッファ区分の前記数に少なくとも部分的に基づいて、ソフトバッファを区分することと、
をさらに備える、Ｃ１に記載の方法。
[Ｃ１５]  ワイヤレス通信のための装置であって、
キャリアアグリゲーション（ＣＡ）動作のために構成された第１の数のコンポーネントキャリア（ＣＣ）を示すシグナリングを受信するための手段と、
ＣＡ動作のために構成された前記第１の数のＣＣがしきい値を超えるとき、ソフトバッファを区分するためのＣＣの参照数を決定するための手段と、
ＣＣの前記参照数に少なくとも部分的に基づいて、前記ソフトバッファを区分するための手段と、
を備える、装置。
[Ｃ１６]  区分するための前記手段は、ＣＣの前記参照数と前記構成されたＣＣの前記数とのうちの最小値に少なくとも部分的に基づいて、前記ソフトバッファを区分するように構成された、Ｃ１５に記載の装置。
[Ｃ１７]  ＣＣの前記参照数を決定するための前記手段は、ユーザ機器（ＵＥ）カテゴリーに少なくとも部分的に基づいて、ＣＣの前記参照数を決定するように構成された、Ｃ１５に記載の装置。
[Ｃ１８]  ＣＣの前記参照数を決定するための前記手段は、前記構成されたＣＣの前記数に少なくとも部分的に基づいて、ＣＣの前記参照数を決定するように構成された、Ｃ１５に記載の装置。
[Ｃ１９]  ＣＣの前記参照数は、前記ソフトバッファのサイズに少なくとも部分的に基づく、Ｃ１５に記載の装置。
[Ｃ２０]  前記ソフトバッファの前記サイズは、ＵＥカテゴリーに関連付けられ、ＣＣの前記参照数は、前記ＵＥカテゴリーによってサポートされるＣＣの最大数よりも少ない、Ｃ１９に記載の装置。
[Ｃ２１]  前記区分することと、ハイブリッド自動再送要求（ＨＡＲＱ）プロセスの終了ステータスとに少なくとも部分的に基づいて、前記第１の数のＣＣからのＣＣに前記ソフトバッファの一部分を割り振るための手段と、
前記ソフトバッファの前記一部分中に、前記ＨＡＲＱプロセスのための対数尤度比（ＬＬＲ）のセットを記憶するための手段と、
をさらに備える、Ｃ１５に記載の装置。
[Ｃ２２]  前記ソフトバッファを区分するための前記手段は、
コードブロックの数、基地局におけるコードブロックのソフトバッファサイズ、ＨＡＲＱプロセスの数、ＨＡＲＱプロセス制限、またはそれらの任意の組合せのうちの少なくとも１つを識別するための手段、
を備える、Ｃ１５に記載の装置。
[Ｃ２３]  前記しきい値は５つのＣＣである、Ｃ１５に記載の装置。
[Ｃ２４]  前記第１の数のＣＣの優先度付けに少なくとも部分的に基づいて、前記ソフトバッファの前記区分と複数のスケジュールされたＣＣとの間の対応を決定するための手段、
をさらに備える、Ｃ１５に記載の装置。
[Ｃ２５]  前記第１の数のＣＣは、少なくとも１次グループと２次グループとにグループ化され、各グループは、前記第１の数のＣＣからの少なくとも１つのＣＣを備える、Ｃ１５に記載の装置。
[Ｃ２６]  前記１次グループと前記２次グループとは、二重接続動作の一部である、Ｃ２５に記載の装置。
[Ｃ２７]  前記第１の数のＣＣは、２つ以上の優先度グループを備え、前記装置は、
各優先度グループのための重み係数と各優先度グループのためのＣＣの参照数とを識別するための手段と、
各優先度グループのための前記重み係数とＣＣの前記参照数とに少なくとも部分的に基づいて、ソフトバッファ区分の数を計算するための手段と、
ソフトバッファ区分の前記数に少なくとも部分的に基づいて、ソフトバッファを区分するための手段と、
をさらに備える、Ｃ１５に記載の装置。
[Ｃ２８]  ワイヤレス通信のための装置であって、
プロセッサと、
前記プロセッサと電子通信しているメモリと、
前記メモリ中に記憶され、前記プロセッサによって実行されたとき、前記装置に、
キャリアアグリゲーション（ＣＡ）動作のために構成された第１の数のコンポーネントキャリア（ＣＣ）を示すシグナリングを受信することと、
ＣＡ動作のために構成された前記第１の数のＣＣがしきい値を超えるとき、ソフトバッファを区分するためのＣＣの参照数を決定することと、
ＣＣの前記参照数に少なくとも部分的に基づいて、前記ソフトバッファを区分することと、
を行わせるように動作可能な命令と、
を備える、装置。
[Ｃ２９]  前記命令は、前記装置に、
前記区分することと、ハイブリッド自動再送要求（ＨＡＲＱ）プロセスの終了ステータスとに少なくとも部分的に基づいて、前記第１の数のＣＣからのＣＣに前記ソフトバッファの一部分を割り振ることと、
前記ソフトバッファの前記一部分中に、前記ＨＡＲＱプロセスのための対数尤度比（ＬＬＲ）のセットを記憶することと、
を行わせるように動作可能である、Ｃ２８に記載の装置。
[Ｃ３０]  前記装置に、前記ソフトバッファを区分することを行わせるように動作可能な前記命令は、前記装置に、
コードブロックの数、基地局におけるコードブロックのソフトバッファサイズ、ＨＡＲＱプロセスの数、ＨＡＲＱプロセス制限、またはそれらの任意の組合せのうちの少なくとも１つを識別すること、
を行わせるように動作可能な命令を備える、Ｃ２８に記載の装置。
[Ｃ３１]  前記しきい値は５つのＣＣである、Ｃ２８に記載の装置。
[Ｃ３２]  前記第１の数のＣＣは、２つ以上の優先度グループを備え、前記命令は、前記装置に、  各優先度グループのための重み係数と各優先度グループのためのＣＣの参照数とを識別することと、
各優先度グループのための前記重み係数とＣＣの数とに少なくとも部分的に基づいて、ソフトバッファ区分の数を計算することと、
ソフトバッファ区分の前記数に少なくとも部分的に基づいて、ソフトバッファを区分することと、
を行わせるようにさらに動作可能である、Ｃ２８に記載の装置。
[Ｃ３３]  ワイヤレス通信のためのコードを記憶する非一時的コンピュータ可読媒体であって、前記コードは、
キャリアアグリゲーション（ＣＡ）動作のために構成された第１の数のコンポーネントキャリア（ＣＣ）を示すシグナリングを受信することと、
ＣＡ動作のために構成された前記第１の数のＣＣがしきい値を超えるとき、ソフトバッファを区分するためのＣＣの参照数を決定することと、
ＣＣの前記参照数に少なくとも部分的に基づいて、前記ソフトバッファを区分することと、
を行うように実行可能な命令を備える、非一時的コンピュータ可読媒体。
[Ｃ３４]  ＣＣの前記参照数は、前記ソフトバッファのサイズに少なくとも部分的に基づく、Ｃ３３に記載の非一時的コンピュータ可読媒体。
[Ｃ３５]  前記ソフトバッファの前記サイズは、ＵＥカテゴリーに関連付けられ、ＣＣの前記参照数は、前記ＵＥカテゴリーによってサポートされるＣＣの最大数よりも少ない、Ｃ３４に記載の非一時的コンピュータ可読媒体。
[Ｃ３６]  前記第１の数のＣＣは、２つ以上の優先度グループを備え、前記コードは、
各優先度グループのための重み係数と各優先度グループのためのＣＣの参照数とを識別することと、
各優先度グループのための前記重み係数とＣＣの前記参照数とに少なくとも部分的に基づいて、ソフトバッファ区分の数を計算することと、
ソフトバッファ区分の前記数に少なくとも部分的に基づいて、ソフトバッファを区分することと、
を行うように実行可能な命令をさらに備える、Ｃ３３に記載の非一時的コンピュータ可読媒体。